(57)【要約】【目的】高い寸法精度でかつ容易に製造することができ、しかも読取りが容易であるとともに、外観にも優れた表示形態を有するＥＬ素子等を用いた発光装置およびこの発光装置を備えた電子機器を得る。【構成】ケース内に配設された文字板１６と、この文字板１６上に回転自在に配設された指針と、この指針を駆動するアナログ時計機構とを備え、文字板１６として、表面透明電極１９の裏面側に、当該発光装置の表示形態を印刷している。【選択図】　　　図５
2004077470.tif 000002
【特許請求の範囲】
【請求項１】
表面透明電極の裏面側に、発光層と絶縁層と背面電極とが順次積層され、前記表面透明電極と前記背面電極との間に電圧を印加させて前記発光層を発光させる発光装置において、前記表面透明電極の裏面側に、当該発光装置の表示形態を印刷したことを特徴とする発光装置。
【請求項２】
表面透明電極の裏面側に、発光層と絶縁層と背面電極とが順次積層され、前記表面透明電極と前記背面電極との間に電圧を印加させて前記発光層を発光させる発光装置において、前記発光層を、当該発光装置の表示形態に対応して相異なる色を発光する複数の発光層によって構成したことを特徴とする発光装置。
【請求項３】
ケース、このケース内に配設された文字板、この文字板上に回転自在に配設された指針、および、この指針を駆動するアナログ時計機構を備えた電子機器において、前記文字板として、請求項１または２に記載の発光装置を用いたことを特徴とする発光装置を備えた電子機器。
【請求項４】
ケース、このケース内に配設された文字板、この文字板上に回転自在に配設された指針、および、この指針を駆動するアナログ時計機構を備えた電子機器において、
前記文字板は、表面透明電極の裏面側に、発光層と絶縁層と背面電極とが順次積層され、前記表面透明電極と前記背面電極との間に電圧を印加させて前記発光層を発光させる発光装置と、
この発光装置の上面に載置され、少なくとも時字を表示する位置に前記発光装置からの発光を通過させる貫通孔が穿設されたシート部材とを備えており、
前記発光装置と前記シート部材とに貫通孔を穿設し、この貫通孔に前記指針の指針軸を挿通したことを特徴とする発光装置を備えた電子機器。
【請求項５】
ケース、このケース内に配設された文字板、この文字板と前記ケースとの間に介装された見切板、前記文字板上に回転自在に配設された指針、および、この指針を駆動するアナログ時計機構とを備えた電子機器において、前記文字板は、表面透明電極の裏面側に、発光層と絶縁層と背面電極とが順次積層され、前記表面透明電極と前記背面電極との間に電圧を印加させて前記発光層を発光させる発光装置からなり、
前記見切板の内周部は、前記文字板の内方に突出して時字を形成する凸部を一体的に設けたことを特徴とする発光装置を備えた電子機器。
【請求項６】
前記電子機器は、アナログ式電子腕時計であることを特徴とする請求項４〜５のいずれかに記載の発光装置を備えた電子機器。
【発明の詳細な説明】
【０００１】
【産業上の利用分野】
本発明は、ＥＬ素子を用いた発光装置およびこの発光装置が組込まれた電子機器に関するものである。
【０００２】
【従来の技術】
従来より、発光装置の一種として、表面透明電極の裏面側に、発光層と絶縁層と背面電極とが順次積層され、上記電極間に電圧を印加させることにより上記発光層を発光させるＥＬ（エロクトロルミネッセンス）素子が知られている。
【０００３】
このＥＬ素子は、例えば、図１２に示すように、各種のデジタル式電子機器において液晶表示装置（ＬＣＤ）１の裏面側に配設されて、その照明装置（バックライト）２として用いられたり、あるいは図１３に示すように、アナログ式電子時計において、支持基板３の上面に載置されることにより、指針４の文字板５として用いられたりしている。このように、ＥＬ素子が組込まれた各種の電子機器においては、上記ＥＬ素子２、５により、暗い場所においても液晶表示装置１による各種表示や、アナログ式電子時計における時刻を読取ることができるという利点がある。
【０００４】
このような発光装置を備えた電子機器のうち、特に図１３に示したような、ＥＬ素子が時計の文字板として使用されるものにあっては、時刻の目盛となる時字６や分目を文字板上に設ける必要がある。このため、一般に上記従来のＥＬ素子を備えたアナログ式の電子時計においては、文字板５とされる上記ＥＬ素子の上面に、印刷等により上記時字６や分目等を形成している。
【０００５】
【発明が解決しようとする課題】
しかしながら、上記従来のＥＬ素子を備えた電子機器にあっては、例えばその表示形態である時字等を、ＥＬ素子の上面に印刷によって形成する場合には、フィルム状のＥＬ素子を各個形状の打抜いた後に、これを反転して治工具で固定し、その上面に印刷を行うことになるため、外径との位置ズレが発生しやすく、高い寸法精度で製造することが難しいとともに、外観上も特にその質感に劣るという問題点があった。
【０００６】
本発明は、このような課題を解決するためになされたもので、高い寸法精度でかつ容易に製造することができ、しかも読取りが容易であるとともに、外観にも優れた表示形態を有するＥＬ素子等を用いた発光装置およびこの発光装置を備えた電子機器を提供することを目的とするものである。
【０００７】
【課題を解決するための手段】
請求項１に記載の本発明に係る発光装置は、表面透明電極の裏面側に、発光層と絶縁層と背面電極とが順次積層され、前記表面透明電極と前記背面電極との間に電圧を印加させて前記発光層を発光させる発光装置において、前記表面透明電極の裏面側に、当該発光装置の表示形態を印刷したことを特徴とする。
【０００８】
請求項２に記載の本発明に係る発光装置は、表面透明電極の裏面側に、発光層と絶縁層と背面電極とが順次積層され、前記表面透明電極と前記背面電極との間に電圧を印加させて前記発光層を発光させる発光装置において、前記発光層を、当該発光装置の表示形態に対応して相異なる色を発光する複数の発光層によって構成したことを特徴とする。
【０００９】
請求項３に記載の本発明に係る発光装置を備えた電子機器は、ケース、このケース内に配設された文字板、この文字板上に回転自在に配設された指針、および、この指針を駆動するアナログ時計機構を備えた電子機器において、前記文字板として、請求項１または２に記載の発光装置を用いたことを特徴とする。
【００１０】
請求項４に記載の本発明に係る発光装置を備えた電子機器は、ケース、このケース内に配設された文字板、この文字板上に回転自在に配設された指針、および、この指針を駆動するアナログ時計機構を備えた電子機器において、前記文字板は、表面透明電極の裏面側に、発光層と絶縁層と背面電極とが順次積層され、前記表面透明電極と前記背面電極との間に電圧を印加させて前記発光層を発光させる発光装置と、この発光装置の上面に載置され、少なくとも時字を表示する位置に前記発光装置からの発光を通過させる貫通孔が穿設されたシート部材とを備えており、前記発光装置と前記シート部材とに貫通孔を穿設し、この貫通孔に前記指針の指針軸を挿通したことを特徴とする。
【００１１】
請求項５に記載の本発明に係る発光装置を備えた電子機器は、ケース、このケース内に配設された文字板、この文字板と前記ケースとの間に介装された見切板、前記文字板上に回転自在に配設された指針、および、この指針を駆動するアナログ時計機構とを備えた電子機器において、前記文字板は、表面透明電極の裏面側に、発光層と絶縁層と背面電極とが順次積層され、前記表面透明電極と前記背面電極との間に電圧を印加させて前記発光層を発光させる発光装置からなり、前記見切板の内周部は、前記文字板の内方に突出して時字を形成する凸部を一体的に設けたことを特徴とする。
【００１２】
請求項６に記載の本発明に係る発光装置を備えた電子機器は、前記電子機器は、アナログ式電子腕時計であることを特徴とする。
【００１３】
【作用】
請求項１に記載の発光装置によれば、表面透明電極の裏面側に、その表示形態を印刷しているので、表面透明電極の裏面側に発光層と絶縁層と背面電極とを印刷により順次積層する一連の製造工程中において、上記表示形態を形成することができ、製造が容易であるとともに、上記表面透明電極を反転等する必要がないため、印刷する表示形態に位置ズレを生じるおそれがない。
【００１４】
請求項２に記載の発光装置では、発光層を、当該発光装置の表示形態に対応して相異なる色を発光する複数の発光層によって構成しているので、別途上面に印刷等により表示形態を設ける必要がなく、かつ発光装置の一連の製造工程中に上記表示形態を構成することができるため、請求項３に記載の発明と同様に、製造が容易である。加えて、発光層自体により上記表示形態を構成しているので、表示形態が表示装置の全面にわたる場合においても、これを印刷で形成する場合のように発光面を隠蔽して発光量が減少してしまうといったおそれがなく、よってさらに一段と優れた外観が得られる。
【００１５】
請求項３に記載の発光装置を備えた電子機器では、請求項１または２に記載の発光装置を文字板として用いているので、表面透明電極の裏面側に、その表示形態を印刷しているので、表面透明電極の裏面側に発光層と絶縁層と背面電極とを印刷により順次積層する一連の製造工程中において、上記表示形態を形成することができ、製造が容易であるとともに、上記表面透明電極を反転等する必要がないため、印刷する表示形態に位置ズレを生じるおそれがない。また、表示形態が表示装置の全面にわたる場合においても、これを印刷によって形成する場合のように、発光面を隠蔽して発光量が減少してしまうといったおそれがなく、優れた外観が得られる。
【００１６】
さらに、請求項４に記載の発光装置を備えた電子機器にあっては、文字板として発光装置を用いているので視認性に優れ、しかもシート部材の貫通孔から透過される上記発光装置からの光により時字等を読取ることができるため、視認性にも優れる。また、シート部材の材質や形状を適宜選択することにより、上記文字板全体の質感および外観を向上させることが可能となる。
【００１７】
また、請求項５に記載の発光装置を備えた電子機器は、見切板の内周部に時字となる凸部を一体的に設けているので、部品点数を増大させることなく、その製造が容易であるとともに、当該凸部を透明部材で形成すれば、一層視認性を向上させることができる。
【００１８】
【実施例１】
図１〜図３は、本発明の発光装置および発光装置を備えた電子機器をＥＬ素子を改良した発光装置およびこれを組込んだアナログ式電子腕時計に適用した一実施例を示すものである。
【００１９】
図１において、図中符号１０は、このアナログ式電子腕時計（以下、腕時計と略称する。）のケースを示すものである。このケース１０は、上下面が開口した円環状のもので、その内部には、回路基板１１を上部ハウジング１２および下部ハウジング１３で挟持して一体化されたモジュール１４が組込まれている。なお、上記回路基板１１の上面には、ＥＬ素子駆動回路やステッピングモータ駆動回路等を有するＬＳＩ１５が取付けられている。このモジュール１４の上面には、ＥＬ素子からなる文字板１６（発光装置）が載置されている。
【００２０】
この文字板１６は、図２および図３に示すように、透明樹脂１６ａ、透明電極１６ｂ、発光層１６ｃ、絶縁層１６ｄ、背面電極１６ｅおよび背面絶縁層１６ｆが順次印刷により積層されたＥＬ素子からなるもので、その時字を表示すべき位置には、上記透明樹脂１６ａから上記背面絶縁層１６ｆに至る複数の貫通孔１７…が穿設されるとともに、これら貫通孔１７…には、蛍光塗料や蛍光ラミネート材等の蛍光材からなる蓄光材１８…が充填されている。
【００２１】
なお、上記透明樹脂１６ａおよび透明電極１６ｂにより、表面透明電極１９が構成されている。そして、この文字板１６の透明電極１６ｂおよび背面電極１６ｅは、それぞれ上部ハウジング１２を貫通して配設された接続用ばね２０、２０により、上記回路基板１１と電気的に接続されており、上記透明電極１６ｂと背面電極１６ｅとの間に電圧を印加させることにより、発光層１６ｃを発光させるようになっている。
【００２２】
また、上記モジュール１４の上部ハウジング１２中央には、アナログ時計機構２１が組込まれており、これによって回転駆動される指針軸２２が、上記文字板１６の中央部に穿設された貫通孔２３内に挿通されている。そして、上記指針軸２２には、指針２４、２５が、それぞれ上記文字板１６の上方において回転自在に取付けられている。さらに、ケース１０の上部開口には、これを塞ぐ透明なガラス体２６が嵌め込まれ、このガラス体２６と文字板１６との外周部間には、当該ガラス体２６と文字板１６との間に指針２４、２５の回転空間を確保するための見切板２７が介装されている。他方、ケース１０の裏面開口には、内部の電池２８を挿脱するためのバックプレート２９が開閉自在に設けられている。なお、図中符号３０は、この腕時計の操作用ボタンを示すものである。
【００２３】
以上の構成からなる文字板（発光装置）１６にあっては、時字を表示すべき位置に、表面透明電極１９から背面絶縁層１６ｆに至る貫通孔１７…を穿設し、この貫通孔１７…に蓄光材１８…を充填しているので、蓄光材１８…による残照作用により、発光層１６ｃの消灯後においても上記時字を読取ることができ、よってその視認性に優れるとともに、さらに発光層１６ｃの駆動時間を短縮化して電池２８の寿命を長くすることができる。また、上記貫通孔１７…は、加工精度に優れるプレス打抜き加工により穿設することができるため、製造が容易であるうえ、製品精度にも優れる。
【００２４】
したがって、上記文字板１６を組込んだ腕時計にあっては、暗い場所においても文字板１６を発光させることにより、容易に時刻を読取ることができ、かつ蓄光材１８…を上記文字板１６の時字を表示する位置に設けているので、内部の蓄光材１８…による残照作用により、消灯後においても時字を読取ることができて一層その視認性が向上することができる。
【００２５】
【実施例２】
図４および図５は、本発明の第二実施例を示すもので、図１に示したものと同一構成部分には同一符号を付して、その説明を省略する。この実施例の腕時計においては、ケース１０内に、上記文字板１６に代えて、図４および図５に示すようなＥＬ素子を用いた文字板（発光装置）３１が組込まれている。この文字板３１は、表面透明電極３２の裏面側に、裏面側に絶縁層を有する発光層３３と背面電極３４と背面絶縁層３５とが順次積層されたＥＬ素子の上記表面透明電極３２の裏面側に、この文字板３１の時字３６…が印刷されてなるものであり、上記表面透明電極３２と背面電極３４との間に電圧を印加させることにより、発光層３３を発光させるようになっている。
【００２６】
したがって、上記文字板３１を組込んだ腕時計によれば、文字板３１の表面透明電極３２の裏面側に、時字３６…を印刷しているので、当該文字板３１を製造するに際して、表面透明電極３２の裏面側に発光層３３と背面電極３４と背面絶縁層３５とを印刷により順次積層する一連の製造工程中において、上記時字３６…を印刷することができるために、製造が容易であり、しかも従来のもののように上記表面透明電極３２に時字を印刷するためにこれを反転させるといった必要がないため、印刷する時字３６…に位置ズレを生じるおそれがない。
【００２７】
【実施例３】
図６および図７は、本発明の第三実施例を示すもので、この実施例の腕時計においては、ケース１０内に、上記文字板３１に代えて、図６および図７に示すようなＥＬ素子を用いた文字板（発光装置）４０が組込まれている。この文字板４０は、表面透明電極４１の裏面側に、裏面側に絶縁層を有する発光層４２と背面電極４３と背面絶縁層４４とが順次積層されたもので、さらに上記発光層４２は、この文字板面の色を発光する第１の発光層４５と、時字の色を発光する第２の発光層４６とによって構成されている。そして、この文字板４０は、上記表面透明電極４１と背面電極４３との間に電圧を印加させることにより、文字板面の第１の発光層４５と時字の第２の発光層４６とを、それぞれ同時に発光させるようになっている。
【００２８】
上記構成からなる文字板４０およびこれを組込んだ腕時計にあっては、文字板４１の発光層４２を、文字板面の色を発光する第１の発光層４５と、時字の色を発光する第２の発光層４６とによって構成しているので、文字板４０の上面に印刷等により表示形態を設ける必要がなく、かつ文字板４０の一連の製造工程中に上記２種類の色を発光する発光層４２を形成することができるため、製造が容易である。しかも、発光層４２自体により上記文字板面の色と時字の色とを発光することができるため、これを印刷で形成する場合のように文字板４０の発光面を隠蔽して発光量が減少してしまうといったおそれがなく、よってさらに一段と優れた外観が得られる。
【００２９】
なお、上記実施例においては、発光層４２を文字板面の色を発光する第１の発光層４５と時字の色を発光する第２の発光層４６とによって構成したが、これに限るものではなく、さらに文字板面にことなる色の模様を施す場合には、当該模様の色を発光する第３の発光層あるいはそれ以上の発光層を加えて発光層を構成してもよく、この場合には上記作用効果が一層顕著になる。
【００３０】
【実施例４】
図８および図９は、本発明の第四実施例を示すもので、この実施例の腕時計においては、ケース１０内に、上記文字板４０に代えて、図８および図９に示すようなＥＬ素子を用いた文字板（発光装置）５０および金属板（シート部材）５１とが組込まれている。すなわち、上記文字板５０は、表面透明電極５２の裏面側に、裏面側に絶縁層を有する発光層５３と背面電極５４と背面絶縁層５５とが順次積層され、上記表面透明電極５２と背面電極５４との間に電圧を印加させることにより発光層５３を発光させるようになっている。そして、この文字板５０の上面に、金属板５１が載置されている。この金属板５１は、その中央部に大径の開口部が形成されるとともに、時字を表示する数字部分の位置に、上記発光層５３からの発光を通過させる貫通孔５６…がエッチング等の加工手段により形成されている。
【００３１】
この例の文字板５０を組込んだ腕時計によれば、文字板５０としてＥＬ素子を用いているので視認性に優れる。加えて、金属板５１の貫通孔５６…から透過される発光層５３からの光により時字を読取ることができるため、視認性にも優れる。また、金属板５１の材質を適宜選択することにより、全体の質感および外観を向上させることが可能となる。
【００３２】
なお、上記実施例においては、中央部に大径の開口部が形成された金属板５１を用いた例について説明したが、これに限らず、腕時計のデザインに応じて金属板の中央部をメッシュ状等にしても良い。また、金属板５１の下面に位置決め用の足ピンを設ければ、金属板の組立精度をより向上させることができるとともに、同時に文字板５０の固定も行うことができることから好適である。
【００３３】
【実施例５】
図１０および図１１は、本発明の第五実施例を示すもので、この実施例の腕時計においては、ケース１０内に、上記文字板５０および金属板５１に代えて、図１０および図１１に示すようなＥＬ素子を用いた文字板（発光装置）６０および見切板６１とが組込まれている。すなわち、上記文字板６０は、表面透明電極６２の裏面側に、裏面側に絶縁層を有する発光層６３と背面電極６４と背面絶縁層６５とが順次積層されたものであり、上記表面透明電極６２と背面電極６４との間に電圧を印加させることにより、上記発光層６３を発光させるようになっている。そして、この文字板６０とケース１０との間に、上記見切板６１が介装されている。この見切板６１は、透明な樹脂からなる円環状のもので、その内周部には、これから上記文字板６０の内方に突出して時字を形成する凸部６６…が一体に形成されている。
【００３４】
したがって、この例の腕時計によれば、見切板６１の内周部に時字となる凸部６６…を一体に形成しているので、部品点数を増大させることなく、その製造が容易である。しかも、上記凸部６６…が透明な部材で形成されているので、発光層６３からの発光が透過し、凸部６６…の部分が浮き上がるようにして目視されるため、一層その視認性を向上させることができる。
【００３５】
なお、この例の見切板６１は、リューズ等の回転スイッチにより回転させる、いわゆるベゼルリングと同様に使用することも可能であり、この場合には、凸部６６…の一部における透明色を他のものと変えておけばよい。このような構成とすることにより、夜間においても時間経過を即座に認識できるようになる。
【００３６】
【発明の効果】
以上説明したように、本発明に係る発光装置および発光装置を備えた電子機器によれば、表面透明電極の裏面側に表示形態を印刷しているので、当該発光装置の一連の製造工程中において、上記表示形態を形成することができるため、一層製造が容易であるとともに、印刷する表示形態に位置ズレを生じるおそれがない。また、上記発光層を相異なる色を発光する複数の発光層によって構成すれば、別途上面等に表示形態を設ける必要がないため、発光面を隠蔽して発光量が減少してしまうといったおそれがなく、かつ同様に、発光装置の一連の製造工程中に上記表示形態を構成することができる。
【００３７】
さらに、文字板上に表示形態部分に貫通孔を有するシート部材を載置すれば、上記発光装置からの光により時字等を読取ることができるため、視認性に優れるとともに、上記文字板全体の質感および外観を向上させることが可能となる。また、見切板の内周部に時字となる凸部を一体的に設ければ、部品点数を増大させることなく、その製造が容易であるとともに、当該凸部を透明部材で形成すれば、一層視認性を向上させることができるといった効果を得ることができる。
【図面の簡単な説明】
【図１】本発明の発光装置を備えた電子機器の一実施例を示す側断面図である。
【図２】図１の電子機器に組込まれた本発明の発光装置の一実施例を示す平面図である。
【図３】図２の縦断面図である。
【図４】本発明の第二実施例における発光装置を示す平面図である。
【図５】図４の縦断面図である。
【図６】本発明の第三実施例における発光装置を示す平面図である。
【図７】図６の縦断面図である。
【図８】本発明の第四実施例における発光装置を示す平面図である。
【図９】図８の縦断面図である。
【図１０】本発明の第五実施例における発光装置を示す平面図である。
【図１１】図１０の縦断面図である。
【図１２】従来の発光装置を備えた電子機器を示す要部の側面図である。
【図１３】従来の他の発光装置を備えた電子機器を示す要部の側面図である。
【符号の説明】
１０　ケース
１４　モジュール
１６、３１、４０、５０、６０　文字板（発光装置）
１６ｃ、３３、４２、５３、６３　発光層
１６ｄ　絶縁層
１６ｅ、３４、４３、５４、６４　背面電極
１６ｆ、３５、４４、５５、６５　背面絶縁層
１７　貫通孔
１８　蓄光材
１９、３２、４１、５２、６２　表面透明電極
２０　接続用ばね
２１　アナログ時計機構
２２　指針軸
２３　貫通孔
２４、２５　指針
２６　ガラス体
２７、６１　見切板
３６　時字
４５　第１の発光層
４６　第２の発光層
５１　金属板（シート部材）
５６　貫通孔
６６　凸部（時字）
【図１】
2004077470.tif 000003
【図２】
2004077470.tif 000004
【図３】
2004077470.tif 000005
【図４】
2004077470.tif 000006
【図５】
2004077470.tif 000007
【図６】
2004077470.tif 000008
【図７】
2004077470.tif 000009
【図８】
2004077470.tif 000010
【図９】
2004077470.tif 000011
【図１０】
2004077470.tif 000012
【図１１】
2004077470.tif 000013
【図１２】
2004077470.tif 000014
【図１３】
2004077470.tif 000015